(57)【要約】  流水加速装置は、ポンプ(１)と、排水管(７)と、環状チャンバー(４１０)を備える噴射用リング(４)とを有し、ポンプ(１)の出水口が環状チャンバー(４１０)と連通され、噴射用リング(４)は、環状チャンバー(４１０)と外部とを連通するスリット(５)を有し、排水管(７)はポンプ(１)の入水口と接続される。
2019518895.tif 000002
【特許請求の範囲】
【請求項１】
ポンプ(１)と、両端がそれぞれポンプ(１)の出水口及び噴射用リング(４)と接続されるポンプ出水管(２)と、両端がそれぞれポンプ(１)の出水口及び分流排水管(７)と接続される噴射用リング(４)と、両端がそれぞれ噴射用リング(４)及び都市排水管と接続される分流排水管(７)とを有し、
前記噴射用リング(４)は、中空のリングであり、下端にポンプ出水口接続管(３)と連通される開口が開設され、ハウジングは、閉鎖的に連続しておらず、その内側に噴射用スリット(５)が設けられていることを特徴とする都市排水管の流水加速装置。
【請求項２】
ポンプ出水管(２)は金属又はプラスチックからなるものであることを特徴とする請求項１に記載の都市排水管の流水加速装置。
【請求項３】
分流排水管(７)は金属又はプラスチックからなるものであることを特徴とする請求項１に記載の都市排水管の流水加速装置。
【請求項４】
噴射用リング(４)は金属又はプラスチックからなるものであることを特徴とする請求項１に記載の都市排水管の流水加速装置。
【請求項５】
ポンプ(１)と、排水管(７)と、環状チャンバー(４１０)を備える噴射用リング(４)とを有し、前記ポンプ(１)の出水口は前記環状チャンバー(４１０)と連通され、前記噴射用リング(４)は、前記環状チャンバー(４１０)と外部とを連通するスリット(５)を備え、前記排水管(７)は前記ポンプ(１)の入水口と接続されていることを特徴とする流水加速装置。
【請求項６】
前記スリット(５)の開口方向は前記噴射用リング(４)の軸線に垂直していないことを特徴とする請求項５に記載の流水加速装置。
【請求項７】
前記スリット(５)は前記噴射用リング(４)に沿う環状に形成されていることを特徴とする請求項５に記載の流水加速装置。
【請求項８】
前記スリット(５)は前記噴射用リング(４)の内面に位置していることを特徴とする請求項７に記載の流水加速装置。
【請求項９】
前記噴射用リング(４)の軸方向の断面から見ると、前記環状チャンバー(４１０)は、連通されている第１室(４１１)及び第２室(４１２)を有し、前記第２室(４１２)は、前記第１室(４１１)から離間する方向に向かって縮径しつつあり、前記スリット(５)が前記第１室(４１１)と直接連通されていることを特徴とする請求項５〜８のいずれか１項に記載の流水加速装置。
【請求項１０】
前記噴射用リング(４)の軸方向の断面は、第１エッジ(４２１)、第２エッジ(４２２)、第３エッジ(４２３)及び第４エッジ(４２４)で囲まれてなり、
前記第２エッジ(４２２)と前記第３エッジ(４２３)は、それぞれ前記第１エッジ(４２１)の両端から前記第１エッジ(４２１)の同じ側に向かって下へ延在し、
前記第３エッジ(４２３)の延在方向において、前記第３エッジ(４２３)と前記第１エッジ(４２１)との間の距離が大きくなり、
前記第４エッジ(４２４)は、前記第３エッジ(４２３)の前記第１エッジ(４２１)から離間する端部から前記第１エッジ(４２１)に向かって延在し、
前記第４エッジ(４２４)が、前記第２エッジ(４２２)の前記第１エッジ(４２１)から離間する端部と間隔をあけて重ねるように設けられることによって、前記スリット(５)が形成されることを特徴とする請求項９に記載の流水加速装置。
【請求項１１】
前記第３エッジ(４２３)は第１サブエッジ(４２３１)と第２サブエッジ(４２３２)とを有し、
前記第１エッジ(４２１)、前記第１サブエッジ(４２３１)、前記第２サブエッジ(４２３２)及び前記第４エッジ(４２４)が順に接続され、
前記第１サブエッジ(４２３１)と前記第１エッジ(４２１)とがなす角が前記第２サブエッジ(４２３２)の延長線と前記第１エッジ(４２１)の延長線とがなす角より大きいことを特徴とする請求項１０に記載の流水加速装置。
【請求項１２】
前記第２エッジ(４２２)及び前記第４エッジ(４２４)は、前記第１エッジ(４２１)から離間する方向において凸出する円弧状に形成されることを特徴とする請求項１０に記載の流水加速装置。
【請求項１３】
前記ポンプ(１)の出水口が出水管(３０)を介して前記環状チャンバー(４１０)と連通されていることを特徴とする請求項５〜８のいずれか１項に記載の流水加速装置。
【請求項１４】
前記出水管(３０)は、第１出水管(２)と第２出水管(３)とを有し、前記第１出水管(２)と前記第２出水管(３)とが互いに接続され、前記第１出水管(２)が前記ポンプ(１)の出水口と接続され、前記第２出水管(３)が前記噴射用リング(４)と接続されていることを特徴とする請求項１３に記載の流水加速装置。
【請求項１５】
前記排水管(７)の端部が前記噴射用リング(４)と接続されていることを特徴とする請求項５〜８のいずれか１項に記載の流水加速装置。
【請求項１６】
前記排水管(７)の端部がリング管(６)を介して前記噴射用リング(４)と接続されていることを特徴とする請求項１５に記載の流水加速装置。
【請求項１７】
前記排水管(７)が入水管(７０)を介して前記ポンプ(１)の入水口と接続されていることを特徴とする請求項５〜８のいずれか１項に記載の流水加速装置。
【請求項１８】
前記入水管(７０)は、第１入水管(８)と第２入水管(９)とを有し、前記第１入水管(８)と前記第２入水管(９)とが互いに接続され、前記第１入水管(８)が前記排水管(７)と接続され、前記第２入水管(９)が前記ポンプ(１)の入水口と接続されていることを特徴とする請求項１７に記載の流水加速装置。
【請求項１９】
前記ポンプ(１)が前記固定座(１０)に固定接続されていることを特徴とする請求項５〜８のいずれか１項に記載の流水加速装置。
【発明の詳細な説明】
【技術分野】
【０００１】
本出願は、２０１６年０５月２３日に中国専利局に提出された出願番号がＣＮ２０１６１０３３８０４９．７であり、名称が「都市排水管の流水加速装置」である中国特許出願に基づいて優先権を主張し、その全ての内容は、参照により本明細書に組み込まれる。
【０００２】
本発明は、機械の技術分野に属し、流水加速装置に関する。
【背景技術】
【０００３】
一部の都市の排水施設は、歴史的な理由で、将来的且つ科学的に設計されず、排水管の口径が小さく設計されていた。豪雨が降る場合、管内の流水速度が遅くなり、排水不良になるので、多数の都市道路に水が溜まり、交通渋滞になって、外出が不便になる。都市排水管が都市の基礎施設の重要構成であり、都市の排水設計は、都市の良好な生活環境の構築や、都市の持続可能な発展にとって肝心なことである。このため、都市排水管の設計を合理化することは、すでに都市構築における重要な部分になっている。都市浸水の問題を解決するため、一部の都市は、財政困難に陥いても、都市排水管の改造に力を注ぐ。しかしながら、投資額が莫大で、その他の部分への財政支出に影響するだけでなく、改造工事は、かなり時間がかかり、路面の破壊が必要となるので、該当道路の交通にも影響している。
【発明の概要】
【発明が解決しようとする課題】
【０００４】
本発明は、都市排水管の流水速度が遅い問題を改善する都市排水管の流水加速装置を提供することを目的とする。
【０００５】
本発明は、都市排水管の流水速度が遅い問題を改善する流水加速装置を提供することを目的とする。
【課題を解決するための手段】
【０００６】
本発明の実施例は、下記の技術案により実現される。
【０００７】
都市排水管の流水加速装置は、ポンプと、両端がそれぞれポンプの出水口及び噴射用リングと接続されるポンプ出水管と、両端がそれぞれポンプの出水口及び分流排水管と接続される噴射用リングと、両端がそれぞれ噴射用リング及び都市排水管と接続される分流排水管とを有し、噴射用リングは、中空のリングであり、下端にポンプ出水口接続管と連通される開口が開設され、ハウジングは、閉鎖的に連続しておらず、その内側に噴射用スリットが設けられている。
【０００８】
さらに、ポンプ出水管は金属又はプラスチックからなるものである。
【０００９】
さらに、分流排水管は金属又はプラスチックからなるものである。
【００１０】
さらに、噴射用リングは金属又はプラスチックからなるものである。
【００１１】
流水加速装置は、ポンプと、排水管と、環状チャンバーを備える噴射用リングとを有し、ポンプの出水口は環状チャンバーと連通され、噴射用リングは、環状チャンバーと外部とを連通するスリットを備え、排水管はポンプの入水口と接続されている。
【００１２】
さらに、スリットの開口方向は噴射用リングの軸線に垂直していない。
【００１３】
さらに、スリットは、噴射用リングに沿う環状に形成されている。
【００１４】
さらに、スリットは噴射用リングの内面に位置している。
【００１５】
さらに、噴射用リングの軸方向の断面から見ると、環状チャンバーは、連通されている第１室及び第２室を有し、第２室は、第１室から離間する方向に向かって縮径しつつあり、スリットが第１室と直接連通されている。
【００１６】
さらに、噴射用リングの軸方向の断面は、第１エッジ、第２エッジ、第３エッジ及び第４エッジで囲まれてなり、第２エッジと第３エッジは、それぞれ第１エッジの両端から第１エッジの同じ側に向かって下へ延在し、第３エッジの延在方向において、第３エッジと第１エッジとの間の距離が大きくなり、第４エッジは、第３エッジの第１エッジから離間する端部から第１エッジに向かって延在し、第４エッジが、第２エッジの第１エッジから離間する端部と間隔をあけて重ねるように設けられることによって、スリットが形成される。
【００１７】
さらに、第３エッジは第１サブエッジと第２サブエッジとを有し、第１エッジ、第１サブエッジ、第２サブエッジ及び第４エッジが順に接続され、第１サブエッジと第１エッジとがなす角が第２サブエッジの延長線と第１エッジの延長線とがなす角より大きい。
【００１８】
さらに、第２エッジ及び第４エッジは、第１エッジから離間する方向において凸出する円弧状に形成される。
【００１９】
さらに、ポンプの出水口が出水管を介して環状チャンバーと連通されている。
【００２０】
さらに、出水管は、第１出水管と第２出水管とを有し、第１出水管と第２出水管とが互いに接続され、第１出水管がポンプの出水口と接続され、第２出水管が噴射用リングと接続されている。
【００２１】
さらに、排水管の端部が噴射用リングと接続されている。
【００２２】
さらに、排水管の端部がリング管を介して噴射用リングと接続されている。
【００２３】
さらに、排水管が入水管を介してポンプの入水口と接続されている。
【００２４】
さらに、入水管は、第１入水管と第２入水管とを有し、第１入水管と第２入水管とが互いに接続され、第１入水管が排水管と接続し、第２入水管がポンプの入水口と接続している。
【００２５】
さらに、ポンプが固定座も固定接続されている。
【発明の効果】
【００２６】
本発明の実施例による都市排水管の流水加速装置は、都市排水管に適用することができる。ポンプは、都市排水管内の水を噴射用リングまで送り、そして噴射用リングにおける噴射用スリットを介して噴出させる。これによって、都市排水管内の流水速度を上げたため、排水管の流水速度が遅い問題を改善できる。
【００２７】
本発明の実施例による流水加速装置は、都市排水管に適用することができる。ポンプは、都市排水管内の水を噴射用リングまで送り、そして噴射用リングにおけるスリットを介して噴出させる。これによって、都市排水管内の流水速度を上げたため、排水管の流水速度が遅い問題を改善できる。
【図面の簡単な説明】
【００２８】
以下、本発明の実施例における技術案をより明瞭に説明するため、実施例に必要となる図面を簡単に説明する。下記図面は、本発明の実施形態の一部だけを示し、本発明の範囲を制限するものと見なされるべきではない。当業者は、発明能力を用いなくても、これらの図面に基づいてその他の図面を得ることが可能である。
【図１】本発明の一実施例による流水加速装置の構造模式図である。
【図２】本発明の一実施例による流水加速装置の噴射用リングの軸方向断面図である。
【図３】本発明の一実施例による流水加速装置の構造模式図である。
【発明を実施するための形態】
【００２９】
本発明の実施例の目的、技術案及び利点をより明瞭にするため、以下、図面を参照しながら、本発明の実施例の技術案を明瞭且つ完全に説明する。説明される実施例が本発明の実施例の一部に過ぎず、すべての実施例ではないことは無論である。
【００３０】
したがって、下記の本発明の実施例の詳細な説明は、本発明の実施例の一部を示めすためのものに過ぎず、保護しようとする本発明の範囲を限定するものではない。本発明の実施例をもとに、当業者が発明能力を用いることなく得たすべてのその他の実施例も、本発明の保護範囲に属する。
【００３１】
なお、矛盾がない限り、本発明の実施例、実施例における特徴及び技術案が互いに組み合わせることが可能である。
【００３２】
また、類似の符号及びアルファベットが以下の図面において類似の部分を表しているため、ある構成が一つの図面に定義された場合、その他の図面においてさらに定義や解釈する必要がない。
【００３３】
本発明に対する説明において、「第１」、「第２」等の用語は、区別して説明するためのものに過ぎず、相対的重要性を明示又は暗示するものではない。
【００３４】
また、第１出水管がポンプ出水管とも称し、第２出水管がポンプ出水口接続管とも称し、分流排水管が排水管とも称し、第１入水管がポンプ入水口接続管とも称し、第２入水管がポンプ入水口管とも称し、噴射用リング接続管がリング管とも称し、噴射用スリットがスリットとも称し、ポンプ固定座が固定座とも称する。
【００３５】
実施例１
図１に示すように、本実施例による都市排水用の流水加速装置は、ポンプ１と、両端がそれぞれポンプ１の出水口及び噴射用リング４と接続されるポンプ出水管２と、両端がそれぞれポンプ１の出水口及び分流排水管７と接続される噴射用リング４と、両端がそれぞれ噴射用リング４及び都市排水管と接続される分流排水管７とを有し、前記噴射用リング４は、中空のリングであり、ハウジングは、閉鎖的に連続しておらず、その内側に噴射用スリット５が設けられている。
【００３６】
本実施例において、ポンプ出水管２は金属からなるものである。なお、その他の実施形態では、ポンプ出水管２がプラスチックで製造されてもよい。
【００３７】
本実施例において、分流排水管７は金属からなるものである。なお、その他の実施形態では、分流排水管７がプラスチックで製造されてもよい。
【００３８】
本実施例において、噴射用リング４は金属からなるものである。なお、その他の実施形態では、噴射用リング４がプラスチックで製造されてもよい。
【００３９】
図１に示すように、本実施例による都市排水用の流水加速装置は、ポンプ１と、ポンプ出水管２と、ポンプ出水口接続管３と、噴射用リング４と、分流排水管７と、ポンプ入水口接続管８と、ポンプ入水口管９と、ポンプ固定座１０とを有している。図２に示すように、噴射用リング４は、中空の環状のものであり、そのハウジングは、閉鎖的に連続しておらず、内側に噴射用スリット５が形成されている。噴射用リング４の外面には、ポンプ出水口接続管３の一端と接続される開口(図示しない)が開設されている。ポンプ出水管２は、その一端がポンプ１の出水口と接続され、その他端がポンプ出水口接続管３の他端と接続されている。本実施例において、ポンプ出水管２とポンプ出水口接続管３とは、第１フランジ５１を介して接続されている。ポンプ入水口接続管８の一端が分流排水管７と接続されている。ポンプ入水口管９がポンプ１の入水口と接続されている。ポンプ入水口接続管８の他端がポンプ入水口管９の他端と接続されている。本実施例において、ポンプ入水口接続管８とポンプ入水口管９とは、第２フランジ５２を介して接続されている。噴射用リング４の内面で囲まれた空間と分流排水管７とを連通させるように、噴射用リング４の一側面が分流排水管７の一端面と接続されている。本実施例において、分流排水管７と噴射用リング４との直径の差が大きい場合、噴射用リング４と分流排水管７とが噴射用リング接続管６を介して接続されている。分流排水管７と噴射用リング４との直径の差が小さい場合、分流排水管７と噴射用リング４とが直接接続されてもよい。例えば、噴射用リング４と接続される分流排水管７の一端が噴射用リング４の径より小さい継手として形成され、溶接で接続されてもよい。ポンプ固定座１０は、鉄板により曲げ成形で形成され、外面に２つの被吊り部１１が設けられている。ポンプ固定座１０は、ポンプ１に外挿され、被吊り部１１を介してポンプ１を固定する。ポンプ出水管２、分流排水管７及び噴射用リング４は、いずれも金属からなるものである。
【００４０】
本実施例による都市排水用の流水加速装置を使用する場合、分流排水管７の噴射用リング４から離間する端部を都市排水管と接続する。噴射用リング４は、都市排水管と接続されてもよいし、都市排水管と接続されなくてもよい。噴射用リング４が都市排水管と接続される場合、噴射用リング４が、フランジを介して都市排水管と接続され、又は、溶接で都市排水管と直接接続される。
【００４１】
噴射用リング４が都市排水管と接続されない場合、噴射用リング４を低地に配置することができる。都市排水管内の水流の流速が遅く、素早く排出されない場合に、本実施例による都市排水用の流水加速装置を起動させる。ポンプ１は、分流排水管７を介して都市排水管内の水を抽出し、噴射用リング４まで送るようになる。ポンプ１による圧力により、噴射用リング４内の水が噴射用スリット５を介して噴出される。水が噴射用スリット５を介して噴出されたとき、流速が比較的に速くなり、低地における水の流速を上げた。ベルヌーイの定理により、低地における水の流速が上がった場合、低地における水の圧力が下がり、都市排水管内の水の流速を上げたため、都市排水管内の水が分流排水管７を介して素早く低地へ排出される。これによって、都市排水管内の水の排出速度が上げられ、都市道路の水溜り問題を改善できる。
【００４２】
噴射用リング４が都市排水管に接続された場合、都市排水管内の水流の流速が遅くなるとき、本実施例による都市排水用の流水加速装置を起動させる。ポンプ１は、分流排水管７を介して都市排水管内の水を抽出し、噴射用リング４まで送るようになる。ポンプ１による圧力により、噴射用リング４内の水が噴射用スリット５を介して噴出される。また、分流排水管７と接続されている都市排水管内の水が分流排水管７及び噴射用リング４を介して噴射用リング４と接続されている都市排水管に排出される。水が噴射用スリット５を介して噴出されたとき、流速が比較的に速くなり、噴射用リング４と接続されている都市排水管内の水の流速を上げた。ベルヌーイの定理により、噴射用リング４と接続されている都市排水管内の水の流速が上がった場合、水圧が下がり、分流排水管７と接続されている都市排水管内の水が分流排水管７を介して噴射用リング４と接続されている都市排水管に素早く排出される。これによって、都市排水管内の水の流速を促進し、都市排水管の排水能力を向上させ、都市道路の水溜り問題を改善できる。
【００４３】
本実施例による都市排水用の流水加速装置は、既存の都市排水管に取り付けるだけで都市道路の水溜り問題を改善できる。都市排水管に対する大規模の掘削改造を行わずに済むため、コスト低減に寄与する。
【００４４】
実施例２
図３に示すように、本実施例は、もう１つの都市排水用の流水加速装置を提供する。本実施例による都市排水用の流水加速装置は、実施例１による都市排水用の流水加速装置とが基本的に同じものであり、本実施例において分流排水管７と噴射用リング４とが接続されていないところが異なっている。これによって、ポンプ１がポンプ入水口接続管８、ポンプ入水口管９及び分流排水管７を介して噴射用リング４から遠く離れているところで水を抽出することができ、本実施例による都市排水用の流水加速装置の取付及び配置がさらに自由になる。
【００４５】
実施例３
図１に示すように、本実施例による流水加速装置は、ポンプ１と、噴射用リング４と、排水管７とを有する。
【００４６】
図２は、本実施例による流水加速装置の噴射用リング４の軸方向の断面図である。図２に示すように、軸方向の断面は、噴射用リング４の軸線の平面による噴射用リング４の断面である。図２に示すように、噴射用リング４は、環状チャンバー４１０を有する。噴射用リング４は、環状チャンバー４１０と外部とを連通するスリット５を備えている。ポンプ１の出水口は、噴射用リング４と接続されており、つまり、環状チャンバー４１０と連通されている。排水管７は、ポンプ１の入水口と接続されている。排水管７の一端部は、噴射用リング４と接続されている。さらに、噴射用リング４の内面で囲まれた空間と排水管７とを連通させるように、噴射用リング４の一側面は排水管７の一端面と接続されている。
【００４７】
本実施例による流水加速装置を使用する場合、排水管７の噴射用リング４から離れる端と都市排水管とを接続させる。噴射用リング４は、都市排水管と接続されてもよいし、都市排水管と接続されなくてもよい。噴射用リング４が都市排水管と接続される場合、噴射用リング４がフランジを介して都市排水管と接続され、又は、溶接で都市排水管と直接接続される。
【００４８】
噴射用リング４が都市排水管と接続されない場合、噴射用リング４を低地に配置することができる。都市排水管内の水流の流速が遅く、素早く排出されない場合に、本実施例による流水加速装置を起動させる。ポンプ１は、排水管７を介して都市排水管内の水を抽出し、噴射用リング４まで送るようになる。ポンプ１による圧力により、噴射用リング４内の水がスリット５を介して噴出される。水がスリット５を介して噴出されたとき、流速が比較的に速くなり、低地における水の流速を上げた。ベルヌーイの定理により、低地における水の流速が上がった場合、低地における水の圧力が下がり、都市排水管内の水の流速を上げたため、都市排水管内の水が排水管７を介して素早く低地へ排出される。これによって、都市排水管内の水の排出速度が上げられ、都市道路の水溜り問題を改善できる。
【００４９】
噴射用リング４が都市排水管に接続された場合、都市排水管内の水流の流速が遅くなるとき、本実施例による流水加速装置を起動させる。ポンプ１は、排水管７を介して都市排水管内の水を抽出し、噴射用リング４まで送るようになる。ポンプ１による圧力により、噴射用リング４内の水がスリット５を介して噴出される。また、排水管７と接続されている都市排水管内の水が排水管７及び噴射用リング４を介して噴射用リング４と接続されている都市排水管に排出される。水がスリット５を介して噴出されたとき、流速が比較的に速くなり、噴射用リング４と接続されている都市排水管内の水の流速を上げた。ベルヌーイの定理により、噴射用リング４と接続されている都市排水管内の水の流速が上がった場合、水圧が下がり、排水管７と接続されている都市排水管内の水が排水管７を介して噴射用リング４と接続されている都市排水管に素早く排出される。これによって、都市排水管内の水の流速を促進し、都市排水管の排水能力を向上させ、都市道路の水溜り問題を改善できる。
【００５０】
本実施例による都市排水用の流水加速装置は、既存の都市排水管に取り付けるだけで都市道路の水溜り問題を改善できる。都市排水管に対する大規模の掘削改造を行わずに済むため、コスト低減に寄与する。
【００５１】
以下、本実施例による流水加速装置をさらに説明する。
【００５２】
本実施例は、スリット５の開口方向が噴射用リング４の軸線に垂直していないように構成されている。これによって、スリット５を介して噴出された水により、低地における水又は都市排水管内の水を排水方向に沿ってよりよく加速させることができ、都市排水管の排水能力をさらに向上させた。なお、その他の実施形態では、スリット５の開口方向は、噴射用リング４の軸線に垂直してもよい。
【００５３】
本実施例において、スリット５は、噴射用リング４に沿う環状に形成されている。これによって、スリット５を介して噴出された水が環状になるので、低地における水又は都市排水管内の水を排水方向に沿ってより効果的に加速させることができる。なお、その他の実施形態では、スリット５が環状以外の形状に形成されてもよい。
【００５４】
本実施例において、スリット５は、噴射用リング４の内面に位置している。これによって、噴射用リング４が都市排水管に接続された場合、スリット５を介して噴出された水が都市排水管に直接排出される。なお、その他の実施形態では、スリット５が噴射用リング４の側面又は外面に設けられてもよい。
【００５５】
図２に示すように、本実施例において、噴射用リング４の軸方向の断面から見ると、環状チャンバー４１０は、連通されている第１室４１１及び第２室４１２を有し、第２室４１２は、第１室４１１から離間する方向に向かって縮径しつつあり、スリット５が第１室４１１と直接連通されるように、スリット５、第１室４１１および第２室４１２が形成されている。噴射用リング４の軸方向の断面は、第１エッジ４２１、第２エッジ４２２、第３エッジ４２３及び第４エッジ４２４で囲まれてなる。第２エッジ４２２と第３エッジ４２３は、それぞれ第１エッジ４２１の両端から第１エッジ４２１の同じ側に向かって下へ延在する。第３エッジ４２３の延在方向において、第３エッジ４２３と第１エッジ４２１との間の距離が大きくなる。第４エッジ４２４は、第３エッジ４２３の第１エッジ４２１から離間する端部から第１エッジ４２１に向かって延在する。第４エッジ４２４が、第２エッジ４２２の第１エッジ４２１から離間する端部と間隔をあけて重ねるように設けられることによって、スリット５が形成される。第１エッジ４２１及び第３エッジ４２３で囲まれてなる空間により第２室４１２が形成される。第１エッジ４２１、第２エッジ４２２及び第４エッジ４２４で囲まれてなる空間により第１室４１１が形成される。第２エッジ４２２および第４エッジ４２４は、第１エッジ４２１から離間する方向において凸出する円弧状に形成されることが好ましい。第３エッジ４２３が第１サブエッジ４２３１と第２サブエッジ４２３２とをさらに有し、第１エッジ４２１、第１サブエッジ４２３１、第２サブエッジ４２３２及び第４エッジ４２４が順に接続され、第１サブエッジ４２３１と第１エッジ４２１とがなす角が第２サブエッジ４２３２の延長線と第１エッジ４２１の延長線とがなす角より大きいことが好ましい。
【００５６】
図１に示すように、本実施例において、ポンプ１の出水口が出水管３０を介して環状チャンバー４１０と連通されている。出水管３０は、第１出水管２と第２出水管３とを有し、第１出水管２と第２出水管３とが第１フランジ５１を介して接続され、第１出水管２がポンプ１の出水口と接続され、第２出水管３が噴射用リング４と接続されている。なお、その他の実施形態では、ポンプ１の出水口がその他の方式で環状チャンバー４１０と連通されてもよい。例えば、ポンプ１の出水口と環状チャンバー４１０とを連通させるように、噴射用リング４をポンプ１の出水口に直接配置してもよい。
【００５７】
図１に示すように、本実施例において、排水管７が入水管７０を介してポンプ１の入水口と接続されている。入水管７０は、第１入水管８と第２入水管９とを有し、第１入水管８と第２入水管９とが第２フランジ５２を介して接続され、第１入水管８が排水管７と接続され、第２入水管９がポンプ１の入水口と接続されている。なお、その他の実施形態では、ポンプ１の入水口と排水管７とがその他の方式で接続されてもよい。例えば、ポンプ１の入水口が排水管７と直接接続されてもよい。
【００５８】
本実施例において、排水管７と噴射用リング４との直径の差が大きい場合、噴射用リング４と排水管７との間にリング管６が接続されている。排水管７と噴射用リング４との直径の差が小さい場合、排水管７と噴射用リング４とが直接接続されてもよい。例えば、噴射用リング４と接続される排水管７の端部が、噴射用リング４の径より小さい継手として形成され、溶接で接続されてもよい。
【００５９】
図１に示すように、本実施例において、ポンプ１をより確実に固定するため、さらに固定座１０が設けられている。固定座１０は、鉄板により曲げ成形で形成され、外面に２つの被吊り部１１が設けられている。固定座１０は、ポンプ１に外挿され、被吊り部１１を介してポンプ１を固定する。
【００６０】
実施例４
図３に示すように、本実施例は、もう１つの流水加速装置を提供する。本実施例による流水加速装置は、実施例３による流水加速装置とが基本的に同じものであり、本実施例において排水管７と噴射用リング４とが接続していないところが異なっている。これによって、ポンプ１が、入水管７０および排水管７を介して噴射用リング４から遠く離れているところで水を抽出することができ、本実施例による流水加速装置の取付および配置がさらに自由になる。
本発明の上記実施例は、本発明を明瞭に説明するための例にすぎず、本発明の実施形態に対する限定ではない。当業者は、上記説明をもとにその他の異なる形態の変化又は変更を行うこともできる。ここで、すべての実施形態を挙げる必要がない。本発明の本質及び主旨から逸脱しない範囲内のすべての変更、均等置換、改良等は、いずれも本発明の請求の保護範囲に属する。
【符号の説明】
【００６１】
１        ポンプ
２        第１出水管
３        第２出水管
４        噴射用リング
５        スリット
６        リング管
７        排水管
８        第１入水管
９        第２入水管
１０      固定座
１１      被吊り部
３０      出水管
５１      第１フランジ
５２      第２フランジ
７０      入水管
４１０    環状チャンバー
４１１    第１室
４１２    第２室
４２１    第１エッジ
４２２    第２エッジ
４２３    第３エッジ
４２４    第４エッジ
４２３１  第１サブエッジ
４２３２  第２サブエッジ
【図１】
2019518895.tif 000003
【図２】
2019518895.tif 000004
【図３】
2019518895.tif 000005
【国際調査報告】
2019518895.tif 000006
2019518895.tif 000007
2019518895.tif 000008
2019518895.tif 000009